(57)【要約】【課題】  印刷する絵柄毎に専用の版を必要とせず且つ見栄えが良く、更に作業者や周辺の環境に悪影響を及ぼさない金属建材の架飾方法を提供する。【解決手段】  金属材の表面模様を無機系の顔料を含有する水系インクをインクジェットプリンター６にてプリントする。【選択図】        図１
2006007618.tif 000002
【特許請求の範囲】
【請求項１】
金属材の表面模様を無機系の顔料を含有する水系インクをインクジェットプリンターにてプリントすることを特徴とする金属建材の架飾方法。
【請求項２】
水系インクをプリントした上に耐候性を有する保護膜を形成することを特徴とする金属建材の架飾方法。
【発明の詳細な説明】
【技術分野】
【０００１】
本発明は、金属製の外装材や浴室化粧板や内装材等の建材の架飾方法に関するものである。
【背景技術】
【０００２】
従来より、金属製の外装材や浴室化粧板や内装材等の金属建材を架飾するには、グラビアオフセット印刷、フレキソ印刷等のロール印刷装置によって多色印刷を行ったり、あるいは、スクリーン印刷によって任意の模様付けを行ったり、あるいは、ロールコーターやスプレー、スパッタ塗装装置などの塗装機を用いて塗装したりして架飾を行っていた（例えば特許文献１参照）。
【０００３】
しかしながら、印刷によって架飾する場合には、印刷する絵柄毎に専用の版を必要とするもので、特に多色印刷の場合には一版に一色ずつしか印刷することができないために多数の印刷機が必要となり、コストと手間がかかるものであった。
【０００４】
また、塗装機を用いて塗装する場合には、印刷したものと比べると、自然感に満ちたリアルな表現は出来ず見栄えの悪いものとなっていた。
【０００５】
また、このような印刷機には有機溶剤系インクを用いていたため、作業者や周辺の環境へ悪影響を及ぼすものであった。
【特許文献１】特開２００１−５５８２５公報
【発明の開示】
【発明が解決しようとする課題】
【０００６】
本発明は上記の点に鑑みてなされたものであり、その目的とするところは、印刷する絵柄毎に専用の版を必要とせず且つ見栄えが良く、更に作業者や周辺の環境に悪影響を及ぼさない金属建材の架飾方法を提供することを課題とするものである。
【課題を解決するための手段】
【０００７】
上記課題を解決するために請求項１に係る発明にあっては、金属材の表面模様を無機系の顔料を含有する水系インクをインクジェットプリンター６にてプリントすることを特徴とするものである。
【０００８】
このような構成とすることで、印刷する絵柄毎に専用の版を必要とせずに見栄えが良い金属建材を製造することができるとともに、作業者や周辺の環境に悪影響を及ぼさないようにすることができる。
【０００９】
また、請求項２の発明は、請求項１の発明において、水系インクをプリントした上に耐候性を有する保護膜を形成することを特徴とするものである。
【００１０】
このような構成とすることで、金属建材およびそのプリントした部分が経年劣化するのを抑えることができる。
【発明の効果】
【００１１】
本発明にあっては、印刷する絵柄毎に専用の版を必要とせずに見栄えが良い金属建材を製造することができるとともに、作業者や周辺の環境に悪影響を及ぼさないようにすることができる。
【発明を実施するための最良の形態】
【００１２】
以下、本発明の実施の形態について図面に基づいて説明する。
【００１３】
金属建材としては、例えば金属外装材、浴室壁材、内装建材等が挙げられる。金属建材には、後述する印刷（プリント）を行うほか、その表面に０．１〜１０．０ｍｍのエンボス又は凹凸を形成してもよい。
【００１４】
本発明では、インクジェットプリンターで上記金属建材に印刷をするものである。インクジェットプリンター６は、オンディマンド方式、荷電制御方式、サーマルヘッドによりインクを吐出させる方式等があり、使用するプリンタの方式は特に限定されないが、本実施形態では市販の荷電制御方式のインクジェットプリンター６を使用する。
【００１５】
金属建材の架飾工程の全体について説明する。本実施形態ではアンコイラー１とリコイラー２との間でフープ状の金属建材に印刷する工程（以下プリント工程という）を行うとともに、エンボス及び凹凸を形成する工程（以下プレス工程という）を行うものである。
【００１６】
まず、アンコイラー１から金属建材となるフープ状の金属板（以下ワーク３という）をテンションを掛けながら巻き出し、このワーク３の架飾する表面を洗浄装置４にて洗浄清掃する。
【００１７】
次に印刷を行うのであるが、これにあたって、位置決め搬送装置５によりインクジェットプリンター６下面の印刷位置にワーク３を位置決めする。位置決め搬送装置５は、ワーク３の幅方向の両端部を掴んでアンコイラー１からワーク３を巻き出すとともに幅方向の位置決めをし、さらに、ワーク３の搬送速度を一定にしている。そして、搬送されるワーク３にインクジェットプリンター６にてプリントするもので、これについては後で詳述する。また、絵柄をプリントするとともに、後のプレス工程でプレス金型に合わせるためのマークをマーキングする。更に、プリントした絵柄模様の上に後述する保護膜を形成する。この保護膜の塗布は、ロール塗装機９によって塗布するとともに、焼き付け機１０によって加熱焼き付けするものである。
【００１８】
そして、印刷完了後のワーク３は、そのプリントを焼き付け炉７にて加熱焼き付けするとともに、冷却装置８にて冷却させた後にリコイラー２によって巻き取り、プリント工程が終了する。エンボス及び凹凸を形成するプレス工程へと移る。
【００１９】
次に、エンボス及び凹凸を形成するプレス工程（図示せず）へと移る。上記プリント工程でリコイラー２に巻き取られたワーク３を該プレス工程のアンコイラーにセットする。
【００２０】
そして、ワーク３を精密送り装置によって上記プリント工程でワーク３に施したマークによって位置合わせを行って、ワーク３のプリント模様をプレス金型のエンボス模様及び凹凸部に合わせてプレスすることでエンボス模様及び凹凸部の形成が行われる。
【００２１】
以上のようなプリント工程、プレス工程により、ワーク３の表面にリアルで自然な模様およびエンボス、凹凸が形成される。
【００２２】
以下プリント工程におけるインクジェットプリンター６による印刷について説明する。
【００２３】
インクジェットプリンター６は、アンコイラー１とリコイラー２間にて搬送されるワーク３の上方に配設され、下面のノズルをワーク３の搬送方向に直交する方向（即ち幅方向）に並設し、このノズルから各原色（白、黒、赤、黄、青の五原色）を吹き付けて任意の色を合成することで任意の絵柄をプリントするものである。ノズルは、ワーク３の全幅に亘るように配置してワーク３の全幅に印刷可能なように配置する。
【００２４】
インクジェットプリンター６は、シーケンサー信号変換装置やパソコン等からなる制御装置に記憶させたデータを使用して、位置決め搬送装置５に位置合わせされたワーク３の表面（上面）にノズルからインクを吐出してプリントする。
【００２５】
ノズルは、その径が１０〜１００μｍのものを用いるもので、ノズルがこれ以上大きくなると鮮明なプリントができなくなる。
【００２６】
使用するインクは水系インクとし、その着色顔料には耐候性を確保するため、自然の無機質顔料（粒径５０〜５００ｎｍ）を用いている。このように水系インクを使用することで、有機溶剤系インクを用いた場合のようにプリント工程のラインにおいて作業者が有機溶剤による悪影響を受けることなく作業することができ、有機溶剤を工場外への排出せずにすむ。また、無機質顔料を用いることで、耐候性を有することとなって経年劣化を抑えることができる。
【００２７】
また更に、この水系インクによってプリントした上に、耐候性を有する透明な保護膜を塗布して形成してもよい。保護膜は、水系のアクリルクリヤーやフッ素系または溶剤系のクリヤーで、紫外線を遮断したりする効果を有し、水系インクの経年劣化を抑えるため、無機質顔料を用いた上記水系インクが経年劣化するのをより一層抑えることができる。
【００２８】
インクジェットプリンター６によってプリントする際は、ノズルをワーク３に１ｍｍ程度まで接近させないと正確、精密な絵柄模様のプリントは難しいため、平板状のワーク３にプリントすることで正確、精密なプリントを施し易くなる。
【００２９】
また、位置決め搬送装置５によって、ワーク３の送り誤差を１００ｍに対して±５ｍｍ程度に抑えることで精密な絵柄模様のプリントが可能となっている。
【００３０】
ワーク３にプリントする図柄は、例えば、自然の石、木目模様、モルタル吹きつけ模様のような自然界のものから写真にとったもの、それらを合成加工した図柄、景色模様等、様々なものが挙げられ、特に限定されない。
【００３１】
以上のように、本発明においては、従来の金属建材のように絵柄毎に専用の版を必要とする印刷ではなくインクジェットプリンターにて印刷するようにしたことで、絵柄毎の印刷データを制御装置の記憶部に記憶させることで、様々な絵柄模様をプリントすることが可能となり、従来のオフセット印刷やフレキソ印刷等の絵柄毎に専用の版を必要とする印刷のような版が不要となり、版の作成のコストと手間がかからないものである。また、水系インクを使用することで、作業者や周辺の環境に悪影響を及ぼすのを防止することができる。
【図面の簡単な説明】
【００３２】
【図１】本実施形態の架飾工程の全体説明図である。
【符号の説明】
【００３３】
６  インクジェットプリンター
【図１】
2006007618.tif 000003